(57)【要約】【課題】  使用経過に伴うヒールの破損を防止し得るハイヒール用保護カバーを提案することにある。【解決手段】  ハイヒール２のヒール先端部４に硬質のゴム材からなるハイヒール用保護カバー１を着脱自在に取り付け、このハイヒール用保護カバー１でハイヒール２のヒール先端部４を被覆するようにした。従って、ハイヒール２のヒール先端部４の外周面及び底面をハイヒール用保護カバー１によって覆いながら使用者が歩行することにより、歩行中に生じる地面との摩擦によってハイヒール用保護カバー１が磨耗し、その結果、ヒール先端部４自体の磨耗を防止でき、かくして使用経過に伴うヒール３の破損を防止し得る。【選択図】        図１
0003114801.tif 000002
【実用新案登録請求の範囲】
【請求項１】
硬質のゴム材からなり、ハイヒールのヒール先端部を被覆するように該ヒール先端部に着脱自在に取り付けられることを特徴とするハイヒール用保護カバー。
【請求項２】
前記ヒール先端部側にゆくに従って次第に幅広に形成されたことを特徴とする請求項１記載のハイヒール用保護カバー。
【請求項３】
前記ヒール先端部とは異なる外観形状を有することを特徴とする請求項１又は２記載のハイヒール用保護カバー。
【考案の詳細な説明】
【技術分野】
【０００１】
この考案は、ハイヒール用保護カバーに関し、例えばかかと部分（以下、これをヒールと呼ぶ）が5〜7cm以上の高い婦人靴や、いわゆるピンヒールと呼ばれるヒールがピンのように細く形成された婦人靴（以下、これらをまとめて単にハイヒールと呼ぶ）に適用して好適なものである。
【背景技術】
【０００２】
近年、ハイヒールのヒールには、地面につく先端にトップリフト（トップピース、化粧革、リフトともいう）と呼ばれる硬質のゴム材でなる小片部材が取り付けられている。このトップリフトは消耗品であって、ある程度すり減った段階で適宜交換し得るようになされている（例えば、特許文献１参照）。
【特許文献１】特開平７−２５５５０７号公報
【考案の開示】
【考案が解決しようとする課題】
【０００３】
ところが、かかる構成のハイヒールでは、トップリフトの取り外し作業及び取り付け作業には熟練を要するため、一般的に専門店にてこのトップリフトの交換作業が行われており、高い修理費用が生じていた。また、使用者は、トップリフトの交換時期を逸してしまうことも多く、この場合、トップリフトのみならずヒール自体が損傷してしまうこともあり、さらに高い修理費用の負担を余儀なくされてしまうこともあった。特にヒールの先端が比較的細いピンヒールにおいては、ヒールの先端部が極めて細いことから使用者の体重を支える底面積が狭く、その分、一般的なハイヒールに比べてヒールの先端部の消耗が早いので、交換時期を逸してしまう虞が多くなり、トップリフトの損傷のみならずヒールを破損させ易いという問題があった。
【０００４】
そこで本考案は以上の点を考慮してなされたもので、使用経過に伴うヒールの破損を防止し得るハイヒール用保護カバーを提案しようとするものである。
【課題を解決するための手段】
【０００５】
本考案の請求項１では、硬質のゴム材からなり、ハイヒールのヒール先端部を被覆するように該ヒール先端部に着脱自在に取り付けられるものである。
【０００６】
本考案の請求項２では、前記ヒール先端部側にゆくに従って次第に幅広に形成されたものである。
【０００７】
本考案の請求項３では、前記ヒール先端部とは異なる外観形状を有するものである。
【考案の効果】
【０００８】
本考案の請求項１によれば、ハイヒールのヒール先端部を着脱自在なハイヒール用保護カバーで被覆したことにより、使用経過に伴いハイヒール用保護カバーが磨耗するので、ヒール先端部自体の磨耗を防止でき、かくして使用経過に伴うヒールの破損を防止し得る。
【０００９】
本考案の請求項２によれば、ヒール先端部における底面の表面積をさらに一段と一回り大きくさせることができ、これにより使用者に対して安定的な歩行を一段と可能にさせることができる。
【００１０】
本考案の請求項３によれば、ヒール先端部の外観形状と異なるハイヒール用保護カバーに付け換えれば、簡便にヒール先端部の形状を変更することができ、かくして使用者自身がヒールの形状を好みの外観形状にすることができる。
【考案を実施するための最良の形態】
【００１１】
以下、本考案における好ましい実施例について、添付図面を参照しながら説明する。
【００１２】
図１において、１はハイヒール用保護カバーを示し、ハイヒール２におけるヒール３の先端部（以下、これをヒール先端部と呼ぶ）４に着脱自在に取り付けられている。
【００１３】
ハイヒール用保護カバー１は、図２に示すように、硬質のゴム材でなる縦長の有底筒状でなり、ヒール３の全長に対して約１／５程度の全長を有するように形成され、ヒール先端部４近傍付近のみを被覆するように構成されている。
【００１４】
また、このハイヒール用保護カバー１は、取付対象となるヒール先端部４の外観形状（この場合、例えば角柱状）に合わせてほぼ同じ外観形状を有するように形成されている。
【００１５】
そして、ハイヒール用保護カバー１は、上方に開口した嵌合孔５を有し、この嵌合孔５の開口部が取付対象となるヒール先端部４の外観形状（この場合、例えば水平方向に断面四角形状）に合わせてほぼ同じ形状（すなわち水平方向に断面四角形状）に形成されているとともに、当該ヒール先端部４の形状よりも僅かに小さく形成されている。
【００１６】
これにより、ハイヒール用保護カバー１は、図３に示すように、ヒール先端部４に嵌め込まれることにより、その弾性復元力によって嵌合孔５の内面がヒール先端部４の外周面及び底面に密着し、ヒール３と一体的となってヒール先端部４に嵌合固定し得るようになされている。かくしてハイヒール用保護カバー１は、ヒール先端部４近傍の外周面及びヒール先端部４の底面を被覆するように構成されている。
【００１７】
以上の構成において、ハイヒール用保護カバー１はその弾性復元力によってヒール先端部４の外周面及び底面に密着し嵌合固定する。この状態においてヒール先端部４の外周面及び底面をハイヒール用保護カバー１によって覆いながら使用者が歩行すれば、歩行中に生じる地面との摩擦によってハイヒール用保護カバー１が磨耗されることにより、ヒール先端部４自体の磨耗を防止できる。
【００１８】
また、ハイヒール用保護カバー１では、ヒール先端部４に装着させることにより、当該ヒール先端部４における底面積を一回り大きくさせ、これにより使用者に対して安定的な歩行を可能にさせることができる。
【００１９】
特に使用者は自分の好みによって所望するデザインでなるピンヒールを購入したものの、実際に当該ピンヒールを履いて歩行したとき、ヒール先端部４が細すぎたことから不安定な歩行となってしまうことがある。このような場合、本考案のハイヒール用保護カバー１では、ピンヒールのヒール先端部４に取り付けさえすれば、ヒール先端部４の底面積を容易に一回り大きくさせることができ、その結果、好みのデザインのピンヒールで安定的な歩行を可能にさせることができる。
【００２０】
このとき、ハイヒール用保護カバー１は、ヒール先端部４近傍付近の領域にのみ取り付けられることにより、ヒール３自体の外観形状を比較的損なうことなく安定的な歩行を可能とさせることができる。さらに、この場合、ハイヒール用保護カバー１は、取付対象となるヒール先端部４の外観形状（この場合、例えば角柱状）に合わせてほぼ同じ外観形状に形成されていることから、この点においてもヒール３自体の外観形状を比較的損なうことなく安定的な歩行を可能とさせることができる。
【００２１】
さらに、ハイヒール用保護カバー１は、ヒール先端部４の底面積を一回り大きくできることにより、従来よりも例えば歩道の溝などに嵌り難くさせることができる。
【００２２】
そして、ハイヒール用保護カバー１が磨耗した場合、使用者はハイヒール用保護カバー１の弾性復元力に抗するように当該ヒール先端部４からハイヒール用保護カバー１を引き抜くだけで、当該ヒール先端部４から当該ハイヒール用保護カバー１を容易に取り外せることができ、かくしてハイヒール用保護カバー１を容易に付け換えることができる。
【００２３】
このように、ハイヒール用保護カバー１では、ヒール先端部４のトップリフト６のみならずヒール３自体の損傷を防止できるので、トップリフト６の交換費用やヒール３の修理費用の負担を軽減させることができる。
【００２４】
以上の構成によれば、ハイヒール２のヒール先端部４を被覆するように当該ヒール先端部４にハイヒール用保護カバー１を取り付けるようにしたことにより、歩行中に生じる地面との摩擦によってハイヒール用保護カバー１が磨耗し、これによりヒール先端部４自体の磨耗を防止でき、かくして使用経過に伴うヒール３の破損を防止し得る。
【００２５】
なお、本考案は、本実施形態に限定されるものではなく、本考案の要旨の範囲内で種々の変形実施が可能である。例えば、上述した実施の形態においては、縦長の有底筒状でなるハイヒール用保護カバー１を適用するようにした場合について述べたが、本考案はこれに限らず、図１との対応部分に同一符号を付して示す図４のように、ヒール先端部４側にゆくに従って次第に幅広に形成したハイヒール用保護カバー21を適用するようにして良い。
【００２６】
この場合、ハイヒール用保護カバー21は、硬質のゴム材でなる縦長の有底筒状でなり、ヒール先端部４側にゆくに従って次第に幅広に形成された傾斜面22を有する。これにより、ハイヒール用保護カバー21では、ヒール先端部４に取り付けることにより、当該ヒール先端部４における底面積をさらに一段と一回り大きくさせることができ、これにより使用者に対して一段と安定的な歩行を可能にさせることができる。
【００２７】
また、上述した実施の形態においては、ヒール先端部４とほぼ同一の外観形状でなるハイヒール用保護カバー１を適用するようにした場合について述べたが、本考案はこれに限らず、図１との対応部分に同一符号を付して示す図５のように、ヒール先端部４と異なる外観形状でなるハイヒール用保護カバー31を適用するようにしても良い。
【００２８】
この場合、ハイヒール用保護カバー31は、その底面部32が例えば断面四角形状でなるヒール先端部４と異なる外観形状（この場合、水平方向に断面円形状）に形成されている。
【００２９】
これにより使用者はヒール先端部４の外観形状（水平方向に断面四角形状）と異なるハイヒール用保護カバー31に付け換えれば、簡便にヒール先端部４の外観形状を変更することができ、かくして使用者自身がヒール３の外観形状を好みの外観形状にすることができる。また、このハイヒール用保護カバー31では、ヒール先端部４側にゆくに従って次第に幅広に形成された傾斜面33を有することにより、単にほぼ直線的に形成されたヒール先端部４の外観形状を、使用者の要望に応じて滑らかに傾斜するデザインのヒール先端部４に容易に変更させることができる。
【００３０】
さらに、上述した実施の形態においては、ハイヒール用保護カバー１をヒールの全長に対して約１／５程度の全長に形成するようにした場合について述べたが、本考案はこれに限らず、ハイヒール用保護カバーをヒールの全長に対して約１／５程度の全長や、ヒールの全長と同じ全長に形成するようにしても良い。
【図面の簡単な説明】
【００３１】
【図１】本考案によるハイヒール用保護カバーが装着された様子を示す斜視図である。
【図２】ハイヒール用保護カバーの全体構成を示す斜視図である。
【図３】ハイヒール用保護カバーが装着されたときの断面構成を示す断面図である。
【図４】他の実施の形態によるハイヒール用保護カバーが装着された様子を示す斜視図である。
【図５】他の実施の形態によるハイヒール用保護カバーが装着された様子を示す斜視図である。
【符号の説明】
【００３２】
１、21、31  ハイヒール用保護カバー
２  ハイヒール
４  ヒール先端部
【図１】
0003114801.tif 000003
【図２】
0003114801.tif 000004
【図３】
0003114801.tif 000005
【図４】
0003114801.tif 000006
【図５】
0003114801.tif 000007
【手続補正書】
【提出日】平成17年8月3日(2005.8.3)
【手続補正１】
【補正対象書類名】実用新案登録請求の範囲
【補正対象項目名】全文
【補正方法】変更
【補正の内容】
【実用新案登録請求の範囲】
【請求項１】
硬質のゴム材からなり、ハイヒールのヒール先端部に着脱自在に取り付けられ、前記ハイヒールのヒール先端部を被覆する縦長の有底筒状からなることを特徴とするハイヒール用保護カバー。
【請求項２】
前記ヒール先端部側にゆくに従って次第に幅広に形成されたことを特徴とする請求項１記載のハイヒール用保護カバー。
【請求項３】
前記ヒール先端部とは異なる外観形状であって、水平方向に断面四角形状又は断面円形状でなることを特徴とする請求項１又は２記載のハイヒール用保護カバー。
【手続補正２】
【補正対象書類名】明細書
【補正対象項目名】全文
【補正方法】変更
【補正の内容】
【考案の詳細な説明】
【技術分野】
【０００１】
この考案は、ハイヒール用保護カバーに関し、例えばかかと部分（以下、これをヒールと呼ぶ）が5〜7cm以上の高い婦人靴や、いわゆるピンヒールと呼ばれるヒールがピンのように細く形成された婦人靴（以下、これらをまとめて単にハイヒールと呼ぶ）に適用して好適なものである。
【背景技術】
【０００２】
近年、ハイヒールのヒールには、地面につく先端にトップリフト（トップピース、化粧革、リフトともいう）と呼ばれる硬質のゴム材でなる小片部材が取り付けられている。このトップリフトは消耗品であって、ある程度すり減った段階で適宜交換し得るようになされている（例えば、特許文献１参照）。
【特許文献１】特開平７−２５５５０７号公報
【考案の開示】
【考案が解決しようとする課題】
【０００３】
ところが、かかる構成のハイヒールでは、トップリフトの取り外し作業及び取り付け作業には熟練を要するため、一般的に専門店にてこのトップリフトの交換作業が行われており、高い修理費用が生じていた。また、使用者は、トップリフトの交換時期を逸してしまうことも多く、この場合、トップリフトのみならずヒール自体が損傷してしまうこともあり、さらに高い修理費用の負担を余儀なくされてしまうこともあった。特にヒールの先端が比較的細いピンヒールにおいては、ヒールの先端部が極めて細いことから使用者の体重を支える底面積が狭く、その分、一般的なハイヒールに比べてヒールの先端部の消耗が早いので、交換時期を逸してしまう虞が多くなり、トップリフトの損傷のみならずヒールを破損させ易いという問題があった。
【０００４】
そこで本考案は以上の点を考慮してなされたもので、使用経過に伴うヒールの破損を防止し得るハイヒール用保護カバーを提案しようとするものである。
【課題を解決するための手段】
【０００５】
本考案の請求項１では、硬質のゴム材からなり、ハイヒールのヒール先端部に着脱自在に取り付けられ、前記ハイヒールのヒール先端部を被覆する縦長の有底筒状からなるものである。
【０００６】
本考案の請求項２では、前記ヒール先端部側にゆくに従って次第に幅広に形成されたものである。
【０００７】
本考案の請求項３では、前記ヒール先端部とは異なる外観形状であって、水平方向に断面四角形状又は断面円形状でなるものである。
【考案の効果】
【０００８】
本考案の請求項１によれば、ハイヒールのヒール先端部を着脱自在なハイヒール用保護カバーで被覆したことにより、使用経過に伴いハイヒール用保護カバーが磨耗するので、ヒール先端部自体の磨耗を防止でき、かくして使用経過に伴うヒールの破損を防止し得る。
【０００９】
本考案の請求項２によれば、ヒール先端部における底面の表面積をさらに一段と一回り大きくさせることができ、これにより使用者に対して安定的な歩行を一段と可能にさせることができる。
【００１０】
本考案の請求項３によれば、ヒール先端部の外観形状と異なるハイヒール用保護カバーに付け換えれば、簡便にヒール先端部の形状を変更することができ、かくして使用者自身がヒールの形状を好みの外観形状にすることができる。
【考案を実施するための最良の形態】
【００１１】
以下、本考案における好ましい実施例について、添付図面を参照しながら説明する。
【００１２】
図１において、１はハイヒール用保護カバーを示し、ハイヒール２におけるヒール３の先端部（以下、これをヒール先端部と呼ぶ）４に着脱自在に取り付けられている。
【００１３】
ハイヒール用保護カバー１は、図２に示すように、硬質のゴム材でなる縦長の有底筒状でなり、ヒール３の全長に対して約１／５程度の全長を有するように形成され、ヒール先端部４近傍付近のみを被覆するように構成されている。
【００１４】
また、このハイヒール用保護カバー１は、取付対象となるヒール先端部４の外観形状（この場合、例えば角柱状）に合わせてほぼ同じ外観形状を有するように形成されている。
【００１５】
そして、ハイヒール用保護カバー１は、上方に開口した嵌合孔５を有し、この嵌合孔５の開口部が取付対象となるヒール先端部４の外観形状（この場合、例えば水平方向に断面四角形状）に合わせてほぼ同じ形状（すなわち水平方向に断面四角形状）に形成されているとともに、当該ヒール先端部４の形状よりも僅かに小さく形成されている。
【００１６】
これにより、ハイヒール用保護カバー１は、図３に示すように、ヒール先端部４に嵌め込まれることにより、その弾性復元力によって嵌合孔５の内面がヒール先端部４の外周面及び底面に密着し、ヒール３と一体的となってヒール先端部４に嵌合固定し得るようになされている。かくしてハイヒール用保護カバー１は、ヒール先端部４近傍の外周面及びヒール先端部４の底面を被覆するように構成されている。
【００１７】
以上の構成において、ハイヒール用保護カバー１はその弾性復元力によってヒール先端部４の外周面及び底面に密着し嵌合固定する。この状態においてヒール先端部４の外周面及び底面をハイヒール用保護カバー１によって覆いながら使用者が歩行すれば、歩行中に生じる地面との摩擦によってハイヒール用保護カバー１が磨耗されることにより、ヒール先端部４自体の磨耗を防止できる。
【００１８】
また、ハイヒール用保護カバー１では、ヒール先端部４に装着させることにより、当該ヒール先端部４における底面積を一回り大きくさせ、これにより使用者に対して安定的な歩行を可能にさせることができる。
【００１９】
特に使用者は自分の好みによって所望するデザインでなるピンヒールを購入したものの、実際に当該ピンヒールを履いて歩行したとき、ヒール先端部４が細すぎたことから不安定な歩行となってしまうことがある。このような場合、本考案のハイヒール用保護カバー１では、ピンヒールのヒール先端部４に取り付けさえすれば、ヒール先端部４の底面積を容易に一回り大きくさせることができ、その結果、好みのデザインのピンヒールで安定的な歩行を可能にさせることができる。
【００２０】
このとき、ハイヒール用保護カバー１は、ヒール先端部４近傍付近の領域にのみ取り付けられることにより、ヒール３自体の外観形状を比較的損なうことなく安定的な歩行を可能とさせることができる。さらに、この場合、ハイヒール用保護カバー１は、取付対象となるヒール先端部４の外観形状（この場合、例えば角柱状）に合わせてほぼ同じ外観形状に形成されていることから、この点においてもヒール３自体の外観形状を比較的損なうことなく安定的な歩行を可能とさせることができる。
【００２１】
さらに、ハイヒール用保護カバー１は、ヒール先端部４の底面積を一回り大きくできることにより、従来よりも例えば歩道の溝などに嵌り難くさせることができる。
【００２２】
そして、ハイヒール用保護カバー１が磨耗した場合、使用者はハイヒール用保護カバー１の弾性復元力に抗するように当該ヒール先端部４からハイヒール用保護カバー１を引き抜くだけで、当該ヒール先端部４から当該ハイヒール用保護カバー１を容易に取り外せることができ、かくしてハイヒール用保護カバー１を容易に付け換えることができる。
【００２３】
このように、ハイヒール用保護カバー１では、ヒール先端部４のトップリフト６のみならずヒール３自体の損傷を防止できるので、トップリフト６の交換費用やヒール３の修理費用の負担を軽減させることができる。
【００２４】
以上の構成によれば、ハイヒール２のヒール先端部４を被覆するように当該ヒール先端部４にハイヒール用保護カバー１を取り付けるようにしたことにより、歩行中に生じる地面との摩擦によってハイヒール用保護カバー１が磨耗し、これによりヒール先端部４自体の磨耗を防止でき、かくして使用経過に伴うヒール３の破損を防止し得る。
【００２５】
なお、本考案は、本実施形態に限定されるものではなく、本考案の要旨の範囲内で種々の変形実施が可能である。例えば、上述した実施の形態においては、縦長の有底筒状でなるハイヒール用保護カバー１を適用するようにした場合について述べたが、本考案はこれに限らず、図１との対応部分に同一符号を付して示す図４のように、ヒール先端部４側にゆくに従って次第に幅広に形成したハイヒール用保護カバー21を適用するようにして良い。
【００２６】
この場合、ハイヒール用保護カバー21は、硬質のゴム材でなる縦長の有底筒状でなり、ヒール先端部４側にゆくに従って次第に幅広に形成された傾斜面22を有する。これにより、ハイヒール用保護カバー21では、ヒール先端部４に取り付けることにより、当該ヒール先端部４における底面積をさらに一段と一回り大きくさせることができ、これにより使用者に対して一段と安定的な歩行を可能にさせることができる。
【００２７】
また、上述した実施の形態においては、ヒール先端部４とほぼ同一の外観形状でなるハイヒール用保護カバー１を適用するようにした場合について述べたが、本考案はこれに限らず、図１との対応部分に同一符号を付して示す図５のように、ヒール先端部４と異なる外観形状でなるハイヒール用保護カバー31を適用するようにしても良い。
【００２８】
この場合、ハイヒール用保護カバー31は、その底面部32が例えば断面四角形状でなるヒール先端部４と異なる外観形状（この場合、水平方向に断面円形状）に形成されている。
【００２９】
これにより使用者はヒール先端部４の外観形状（水平方向に断面四角形状）と異なるハイヒール用保護カバー31に付け換えれば、簡便にヒール先端部４の外観形状を変更することができ、かくして使用者自身がヒール３の外観形状を好みの外観形状にすることができる。また、このハイヒール用保護カバー31では、ヒール先端部４側にゆくに従って次第に幅広に形成された傾斜面33を有することにより、単にほぼ直線的に形成されたヒール先端部４の外観形状を、使用者の要望に応じて滑らかに傾斜するデザインのヒール先端部４に容易に変更させることができる。
【００３０】
さらに、上述した実施の形態においては、ハイヒール用保護カバー１をヒールの全長に対して約１／５程度の全長に形成するようにした場合について述べたが、本考案はこれに限らず、ハイヒール用保護カバーをヒールの全長に対して約１／５程度の全長や、ヒールの全長と同じ全長に形成するようにしても良い。
【図面の簡単な説明】
【００３１】
【図１】本考案によるハイヒール用保護カバーが装着された様子を示す斜視図である。
【図２】ハイヒール用保護カバーの全体構成を示す斜視図である。
【図３】ハイヒール用保護カバーが装着されたときの断面構成を示す断面図である。
【図４】他の実施の形態によるハイヒール用保護カバーが装着された様子を示す斜視図である。
【図５】他の実施の形態によるハイヒール用保護カバーが装着された様子を示す斜視図である。
【符号の説明】
【００３２】
１、21、31  ハイヒール用保護カバー
２  ハイヒール
４  ヒール先端部